(57)【特許請求の範囲】
【請求項１】
前面枠ベース部材の下部前面に下皿ユニットを取り付けた遊技機において、
前記前面枠ベース部材は、
側方下部にスピーカを取り付けるスピーカ取付用開口部と、
中央下部に下皿ユニットに組み込まれる下皿に遊技球を排出する排出用開口部と、を有し、
前記下皿ユニットは、
前記排出用開口部に対応して開口部が形成され、前記前面枠ベース部材の下部前面に取り付けられるベース部材と、
上部側が開放状態に形成され、前記開口部の裏面に取り付けられて前記排出用開口部に挿通される排出路と、
中央部に下皿が組み込まれた状態で前記ベース部材の前面に取り付けられるユニットカバーと、
前記スピーカの前方に位置して前記ユニットカバーに取り付けられる灰皿と、を備え、
前記ベース部材には、
前記スピーカの前方に室を形成するようにボックス状に突出する突出部と、
当該ベース部材の裏面側に凹部を形成するように裏面全周から延設されて前記前面枠ベース部材の表面に当接する起立支壁と、を設け、
前記突出部は、前壁に放音用の複数の孔を有し、
前記突出部の前壁と前記灰皿との間に、開放面を有する空間部が形成され、
前記起立支壁によって形成された前記凹部と前記前面枠ベース部材の表面とによって音伝達空間が構成され、当該音伝達空間を前記排出路の上部側より前記下皿に開口させ、
更に、前記凹部を形成する起立支壁のうち、前記凹部よりも下方位置の起立支壁に放音用の切り欠き部を設けたことを特徴とする遊技機。
【請求項２】
前記灰皿は左右方向の軸を支点に前倒方向に回動可能であって、前記空間部は灰皿の回動用空間部であることを特徴とする請求項１に記載の遊技機。
【発明の詳細な説明】
【０００１】
【発明の属する技術分野】
この発明は、遊技の効果音等を発するスピーカを備える遊技機に関する。
【０００２】
【従来の技術】
遊技機（パチンコ遊技機）では、遊技者に対し効果音等を放音するために、スピーカを備えている。
【０００３】
この場合、スピーカを前面枠ベース部材に取り付け、その前面に取り付けられる遊技媒体の上皿ユニットあるいは下皿ユニットによってスピーカを覆うようにしたものがあり、スピーカの音がこもらないように、スピーカの前面側のユニット壁に放音孔等を設けている。
【０００４】
また、特開平６−２３０９８号、１１−３３１６２号では、前面枠の裏面側に設けられる遊技媒体の排出樋等にスピーカを配置し、排出樋につながる上皿や下皿の排出口からスピーカの音を放音可能とした構成を提案している。
【０００５】
【発明が解決しようとする課題】
しかし、スピーカを前面枠ベース部材に取り付ける場合、上皿や下皿の奥方や右奥方には排出用の開口部や発射機構等が設けられるため、スピーカは前面枠ベース部材の左側に取り付けられることになるが、この位置だと遊技機の中心部分に設けられる表示装置等の遊技の演出に対して、遊技者にとって音が遊技機の側部から聞こえるので、違和感を感じやすい。
【０００６】
また、近年の遊技機においては、前面枠の裏面側に装着される裏機構盤に種々の制御基板等が配設されるようになっており、それらの制御基板等を取り付けると、遊技媒体の排出樋等の背面側には空きスペースがなく、スピーカを配置するのは困難である。
【０００７】
この発明は、このような問題点を解決することを目的とする。
【０００８】
【課題を解決するための手段】
第１の発明は、前面枠ベース部材の下部前面に下皿ユニットを取り付けた遊技機において、前記前面枠ベース部材は、側方下部にスピーカを取り付けるスピーカ取付用開口部と、中央下部に下皿ユニットに組み込まれる下皿に遊技球を排出する排出用開口部と、を有し、前記下皿ユニットは、前記排出用開口部に対応して開口部が形成され、前記前面枠ベース部材の下部前面に取り付けられるベース部材と、上部側が開放状態に形成され、前記開口部の裏面に取り付けられて前記排出用開口部に挿通される排出路と、中央部に下皿が組み込まれた状態で前記ベース部材の前面に取り付けられるユニットカバーと、前記スピーカの前方に位置して前記ユニットカバーに取り付けられる灰皿と、を備え、前記ベース部材には、前記スピーカの前方に室を形成するようにボックス状に突出する突出部と、当該ベース部材の裏面側に凹部を形成するように裏面全周から延設されて前記前面枠ベース部材の表面に当接する起立支壁と、を設け、前記突出部は、前壁に放音用の複数の孔を有し、前記突出部の前壁と前記灰皿との間に、開放面を有する空間部が形成され、前記起立支壁によって形成された前記凹部と前記前面枠ベース部材の表面とによって音伝達空間が構成され、当該音伝達空間を前記排出路の上部側より前記下皿に開口させ、更に、前記凹部を形成する起立支壁のうち、前記凹部よりも下方位置の起立支壁に放音用の切り欠き部を設けたことを特徴とする。
【０００９】
第２の発明は、前記灰皿は左右方向の軸を支点に前倒方向に回動可能であって、前記空間部は灰皿の回動用空間部であることを特徴とする。
【００１６】
【発明の効果】
本発明では、スピーカの前方部位から下皿の排出口につながる音伝達空間が形成されるため、スピーカを前面枠ベース部材の側方に設けていても、中央の下皿の排出口から遊技者側に放音されるので、遊技者はほぼ真正面から音を聞くことができ、効果音を聞き逃しにくくなると共に、遊技機の中心部分に設けられる表示装置等の遊技の演出に対して、ずれた位置から音が聞こえるといったことはなく、効果音による高い演出効果を発揮することができる。
【００１７】
また、スピーカの音はスピーカの前方に位置する前壁に形成した複数の孔を通ると共に、下側に開放面を持つ空間部を介して、灰皿の下側からも放音される。この場合、下皿の排出口のみからの放音だと、例えばスピーカから効果音等が放音されているときに遊技球が下皿へ払い出された場合、効果音等が下皿への遊技球の衝突音等と合わさって聞こえにくくなってしまうことがあり得るが、このように灰皿側からも放音されるので、効果音等が聞こえやすくなる。
さらに、下方位置の起立支壁に放音用の切り欠き部を設けることで、スピーカの音が音伝達空間でこもって聞こえるようなことがなく、効果音等が聞こえやすくなると共に、音の拡がりを得ることができ、高い演出効果を確保できる。
【００２４】
【発明の実施の形態】
以下、添付図面に基づいて、本発明の実施の形態について説明する。
【００２５】
図１は遊技機（パチンコ遊技機）１の正面図、図２は遊技機１の裏面図である。
【００２６】
遊技機１の前面枠（前面枠ベース部材）２は本体枠（外枠）３に開閉可能に取り付けられ、前面枠ベース部材２の前面には遊技盤４の前面を覆う透明のカバーガラスがガラス枠５を介して開閉可能に取り付けられる。
【００２７】
前面枠ベース部材２の前面下部には、上側に遊技球の上皿ユニット６が開閉可能に取り付けられ、下側に遊技球の下皿ユニット（受皿ユニット）７が取り付けられる。
【００２８】
遊技盤４の表面には、表示装置１０、変動入賞装置１１、各入賞口１２〜１６が配設された遊技領域が形成される。遊技領域の最下部にはアウト口１７が設けられる。
【００２９】
前面枠ベース部材２の裏面には、図３のように、遊技盤４を収納する収納フレーム２０が取り付けられ、収納フレーム２０の裏面には、各装置を装着する裏機構盤２１が取り付けられる。
【００３０】
前面枠ベース部材２の下部には、図３のように、下皿ユニット７に対する部位の中央に遊技球の排出用開口部２２が、正面から見て右側に打球の発射機構の発射装置５００の取付用開口部２３が、同じく左側にスピーカ２４の取付用開口部２５が設けられる。
【００３１】
図２のように、裏機構盤２１の上部には、遊技球を貯留する球貯留タンク２６、球貯留タンク２６の球を樋ユニット部２７に導くシュート２８が取り付けられる。裏機構盤２１の右側には、樋ユニット部２７の球を遊技機１前面側の上皿ユニット６の上皿３０、下皿ユニット７の下皿（受皿）３１に払い出す排出装置６００が取り付けられ、左側には、電源装置３００が配設される。
【００３２】
裏機構盤２１の下部には、遊技を統括的に制御する遊技制御装置１００、排出装置６００を制御する排出制御装置４００、発射装置５００を制御する発射制御装置５５０等が配設される。裏機構盤２１の中央部には、遊技盤４の裏面側の各装置を覆う保護カバー３２が取り付けられる。
【００３３】
前面枠ベース部材２の下部には、中央の遊技球の排出用開口部２２に後述するオーバーフロー流路等が接続される連絡樋ボックス３３が、左側の発射装置５００の取付用開口部２３に発射装置５００が、右側のスピーカ２４の取付用開口部２５にスピーカ２４が取り付けられる。スピーカ２４の前面にはスピーカカバー３４が取り付けられ（図５参照）、スピーカ２４の後部は後部収納カバー３５により覆われる。
【００３４】
なお、３６はカード球貸ユニットを示す。
【００３５】
図４、図５は、本体枠３に取り付けた前面枠ベース部材２を、その裏面に取り付けた収納フレーム２０、裏機構盤２１と共に正面から表したもので、図４はガラス枠５、遊技盤４、上皿ユニット６を外した状態を、図５はガラス枠５、遊技盤４、上皿ユニット６、下皿ユニット７を外した状態を示す。
【００３６】
裏機構盤２１には、上皿ユニット６に対応する部位の左側に、上皿ユニット６の上皿３０に設けられた排出口３７に接続され、排出装置６００から図示しない排出樋を介して払い出された球を上皿３０に導く連絡口３８が形成される。また、連絡口３８の奥方から収納フレーム２０の裏面の中央下部に、排出樋のオーバーフロー球を連絡樋ボックス３３に導く図示しないオーバーフロー流路が形成され、連絡樋ボックス３３に導かれた球（オーバーフロー球、ファール球等）は下皿ユニット７の下皿３１に設けられた排出口４０につながる排出路４１（後述する）を介して下皿３１に排出される。収納フレーム２０には、上皿ユニット６に覆われる右下側から中央に打球の発射レール４２が配置される。
【００３７】
次に、下皿ユニット７を詳述する。
【００３８】
図６〜図１３のように下皿ユニット７は、前面枠ベース部材２への取付用ネジ４３が植設されたベース部４４にユニットカバー４５が取り付けられ、前方に膨出されたユニットカバー４５の中央部に下皿３１が組み込まれる。
【００３９】
ベース部４４には、前面枠ベース部材２の遊技球の排出用開口部２２に対応して開口部４６が設けられ、その開口部４６に対応して下皿３１に排出口４０が形成される。
【００４０】
ユニットカバー４５の右側には、前面枠ベース部材２の右側の取付用開口部２３に取り付けられた発射装置５００の前方に位置して打球の発射機構の操作ハンドル４７が配設され、操作ハンドル４７の回動伝達軸４８はベース部４４に設けられた軸孔４９を通して発射装置５００の駆動設定部（図示しない）に連結される。
【００４１】
ユニットカバー４５の左側には、前面枠ベース部材２の左側の取付用開口部２５に取り付けられたスピーカ２４の前方に位置して灰皿５０が配設される。スピーカ２４の前面のベース部４４は、スピーカ２４の前面のスピーカカバー３４と距離をあけてスピーカ２４の前方に室５１を形成するようにスピーカ２４の前方部分がボックス状に突出されると共に、その前壁５２に放音用の複数の孔５３が形成される。前壁５２の両側の立壁５４は、ユニットカバー４５の灰皿５０の取付部分の補強用に前方に延設される。
【００４２】
そして、ベース部４４の裏面側に、スピーカ２４の前方部位から下皿３１の排出口４０につながる音伝達空間５５を形成するように、ベース部４４の正面壁５６より延設されて前面枠ベース部材２の表面に当接される起立支壁５７,５８が形成される。
【００４３】
起立支壁５７は、ベース部４４の裏面全周に形成され、起立支壁５８は、下皿３１の排出口４０に対応する開口部４６側と操作ハンドル４７の回動伝達軸４８の軸孔４９側との間に形成され、起立支壁５７,５８と正面壁５６とにより、スピーカ２４側の部位から開口部４６側にかけての凹部６０と、軸孔４９側の凹部６１とが形成される。凹部６０,６１内には、補強用の内部起立壁６２,６３が設けられ、このうち凹部６０内の内部起立壁６２は、凹部６０内を隔成することのないように形成される。よって、前面枠ベース部材２の表面と当接する起立支壁５７,５８と正面壁５６とによる凹部６０と、前面枠ベース部材２表面とで音伝達空間５５が構成される。また、内部起立壁６２は前面枠ベース部材２表面に到達しない長さで起立していて音伝達空間５５を遮断することが無く、スピーカ２４側の部位から開口部４６側にかけて音が伝達可能となっている。
【００４４】
また、ベース部４４の裏面には、開口部４６に、下皿３１の排出口４０につながると共に、前面枠ベース部材２の遊技球の排出用開口部２２に挿通される排出路４１が取り付けられる。排出路４１は、上部側が開設（開放状態に形成）されて、前面枠ベース部材２の裏面の連絡樋ボックス３３に接続される。
【００４５】
即ち、ベース部４４の裏面側にスピーカ２４側の部位から開口部４６側にかけて音伝達空間５５を形成する凹部６０が設けられると共に、開口部４６側にて音伝達空間５５は開口部４６に取り付けられる排出路４１の上部側より下皿３１の排出口４０に開口される。
【００４６】
一方、前記灰皿５０は、図１４、図１５のように半球状の皿部６５と、ユニットカバー４５の外表面と連なるように形成される、つば部６４、前カバー６６とからなり、ベース部４４の前壁５２の前面側に配設されると共に、ユニットカバー４５との間に設けられた軸６７を支点に前倒方向に半回動可能に取り付けられる。
【００４７】
ベース部４４の前壁５２の前面と灰皿５０との間には、図１４のように灰皿５０をセットした状態にて上側は閉じ、下側に開放面を持つ空間部６８が、つまり灰皿５０を前倒する際の回動用空間部６８が形成される。
【００４８】
また、前記起立支壁５７のうち、凹部６０の下側の起立支壁５７の一部に放音用の切り欠き部７０が形成され、ユニットカバー４５の一部にその切り欠き部７０に面して同じく放音用の切り欠き部７１が形成される。
【００４９】
なお、図中７２は下皿３１の球抜き用のレバー、７３は下皿３１の球抜き用の穴である。
【００５０】
このようにしたので、下皿ユニット７を前面枠ベース部材２に取り付けた状態において、下皿ユニット７と前面枠ベース部材２との間に、スピーカ２４の前方部位から下皿３１の排出口４０につながる音伝達空間５５が形成される。
【００５１】
そのため、スピーカ２４を前面枠ベース部材２の左側に設けていても、中央の下皿３１の排出口４０から遊技者側に放音されるので、遊技者はほぼ真正面から音を聞くことができる。したがって、効果音を聞き逃しにくくなると共に、遊技機の中心部分に設けられる表示装置等の遊技の演出に対して、ずれた位置から音が聞こえるといったことはなく、効果音による高い演出効果を発揮することができる。
【００５２】
また、スピーカ２４を下皿３１の排出口４０から離れた位置に配設できるため、前面枠ベース部材２の部品取付のレイアウトの自由度が高まる。また、スピーカ２４を各排出経路に対しても離れた位置に配設しながら下皿３１の排出口４０から放音できるため、前面枠ベース部材２のスピーカ２４の配置レイアウトの自由度も高まる。
【００５３】
また、音伝達空間５５が、新たな構成部品を設ける必要なく、下皿ユニット７のベース部４４の起立支壁５７の配置ならびに内部起立壁６２の大きさ等によって形成され、そのための音伝達空間５５の形成が容易であり、したがって下皿ユニット７の形成も容易であり、コストがかかることはない。
【００５４】
また、下皿３１の排出口４０につながる排出路４１の上部側を開放して、音伝達空間５５をその上部側より下皿３１の排出口４０に開口するので、排出用開口部２２の奥方を音が迂回するようなことはなく、良好に放音できる。
【００５５】
また、音伝達空間５５は、凹部６０と６１との間に形成された起立支壁５８によって打球の発射装置５００側と画成されているため、発射装置５００のモータ音等がスピーカ２４の音に混じって下皿３１の排出口４０から放音されることがなく、クリアな効果音を得ることができる。
【００５６】
一方、下皿ユニット７のスピーカ２４の前方に位置する前壁５２に放音用の複数の孔５３を形成して、その前壁５２の前面側に灰皿５０を配設すると共に、その前壁５２の前面と灰皿５０との間に下側に開放面を持つ空間部６８を形成したので、スピーカ２４の音は前壁５２の孔５３を通り、灰皿５０の下側からも放音される。
【００５７】
下皿３１の排出口４０のみからの放音だと、例えばスピーカ２４から効果音等が放音されているときに遊技球が下皿３１へ払い出された場合、効果音等が下皿３１への遊技球の衝突音等と合わさって聞こえにくくなってしまうことがあり得るが、このように灰皿５０の下側からも放音されるので、効果音等が聞こえにくくなることはない。また、スピーカ２４の前方の前壁５２に放音用の孔５３を設けても、遊技者からは灰皿５０によって視認できないので、下皿ユニット７のデザインを損ねることはない。
【００５８】
また、下皿ユニット７のベース部４４の起立支壁５７のうち、凹部６０の下側の起立支壁５７の一部に放音用の切り欠き部７０を、ユニットカバー４５の一部にその切り欠き部７０に面して同じく放音用の切り欠き部７１を形成するので、スピーカ２４の音がこもって聞こえるようなことがなく、効果音等が聞こえやすくなると共に、音の拡がりを得ることができ、高い演出効果を確保できる。
【００５９】
なお、切り欠き部７０,７１は、スピーカ２４の近傍に形成しても良いが、下皿ユニット７の中央側に形成しても良い。
【００６０】
また、前面枠ベース部材２のスピーカ２４の取付用開口部２５の近傍に孔を形成すると共に、前面枠ベース部材２の裏面にてスピーカ２４の後部収納カバー３５内に孔が開口するように形成して、スピーカ２４の後面の音をその孔から放音するようにしても良い。
【００６１】
なお、実施の形態では、遊技機としてパチンコ遊技機に適用した例を示したが、その他の遊技機、例えばパチスロ、アレンジボール等の遊技機にも適用できる。また、もちろんスピーカを遊技機の右下部等に取り付けるものにも適用できる。
【００６２】
また、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】本発明の実施の形態における遊技機の正面図である。
【図２】遊技機の裏面図である。
【図３】前面枠ベース部材の裏面側の分解斜視図である。
【図４】ガラス枠、遊技盤、上皿ユニットを外した状態の前面枠ベース部材の正面図である。
【図５】ガラス枠、遊技盤、上皿ユニット、下皿ユニットを外した状態の前面枠ベース部材の正面図である。
【図６】下皿ユニットの正面図である。
【図７】灰皿を外した状態の下皿ユニットの正面図である。
【図８】下皿ユニットの裏面図である。
【図９】下皿ユニットを下から見た図である。
【図１０】下皿ユニットの部分裏面図である。
【図１１】下皿ユニットのベース部の部分断面図である。
【図１２】下皿ユニットのベース部の前面枠ベース部材への取付状態を示す部分断面図である。
【図１３】下皿ユニットの下皿部分の断面図である。
【図１４】下皿ユニットの灰皿部分の断面図である。
【図１５】灰皿の回動状態を示す断面図である。
【符号の説明】
２  前面枠ベース部材
３  本体枠
４  遊技盤
６  上皿ユニット
７  下皿ユニット（受皿ユニット）
２２  排出用開口部
２３  取付用開口部
２４  スピーカ
２５  取付用開口部
３０  上皿
３１  下皿（受皿）
３３  連絡樋ボックス
４０  排出口
４１  排出路
４４  ベース部
４５  ユニットカバー
４６  開口部
４７  操作ハンドル
５０  灰皿
５２  前壁
５３  孔
５５  音伝達空間
５６  正面壁
５７,５８  起立支壁
６０,６１  凹部
６２,６３  内部起立壁
６７  軸
６８  空間部
７０,７１  切り欠き部
【図１】
0004355098.tif 000002
【図２】
0004355098.tif 000003
【図３】
0004355098.tif 000004
【図４】
0004355098.tif 000005
【図５】
0004355098.tif 000006
【図６】
0004355098.tif 000007
【図７】
0004355098.tif 000008
【図８】
0004355098.tif 000009
【図９】
0004355098.tif 000010
【図１０】
0004355098.tif 000011
【図１１】
0004355098.tif 000012
【図１２】
0004355098.tif 000013
【図１３】
0004355098.tif 000014
【図１４】
0004355098.tif 000015
【図１５】
0004355098.tif 000016